(57)【要約】【課題】視認性が高く、元画像の概要が把握し易い集約画像を作成可能な情報処理装置、集約画像作成方法および集約画像作成プログラムを提供することを目的とする。【解決手段】  複数の縮小画像を含む集約画像の作成が可能な情報処理装置であって、元画像を構成する複数の部分画像の重要度に応じて、重要度の高い部分画像の割合が大きくなるように元画像を縮小した縮小画像１１２を含む集約画像１１１を作成する集約画像作成手段を備えたことにより上記課題を解決する。【選択図】図４
2007116611.tif 000002
【特許請求の範囲】
【請求項１】
複数の縮小画像を含む集約画像の作成が可能な情報処理装置であって、
元画像を構成する複数の部分画像の重要度に応じて、前記重要度の高い部分画像の割合が大きくなるように前記元画像を縮小した縮小画像を含む集約画像を作成する集約画像作成手段を備えたことを特徴とする情報処理装置。
【請求項２】
前記集約画像作成手段は、前記重要度の高い部分画像の割合が大きくなるように前記元画像を縮小した第１の縮小画像と、元画像を所定の比率で縮小した第２の縮小画像とを含む集約画像を作成することを特徴とする請求項１記載の情報処理装置。
【請求項３】
前記集約画像作成手段は、前記集約画像に含まれる前記第１の縮小画像及び第２の縮小画像を相互に変換する変換手段と、
前記集約画像のレイアウトを決定するレイアウト決定手段と、
操作者からの要求に応じて前記変換手段およびレイアウト決定手段を制御し、前記集約画像を作成する制御手段と
を備えたことを特徴とする請求項２記載の情報処理装置。
【請求項４】
前記制御手段は、操作者からの要求に応じて前記集約画像に含まれる少なくとも１つの前記第２の縮小画像を前記第１の縮小画像に変換し、又は前記集約画像に含まれる少なくとも１つの前記第１の縮小画像を前記第２の縮小画像に変換することを特徴とする請求項３記載の情報処理装置。
【請求項５】
前記制御手段は、操作者からの要求に応じて前記集約画像に含まれる前記第１の縮小画像および第２の縮小画像のレイアウトを決定することを特徴とする請求項３記載の情報処理装置。
【請求項６】
前記制御手段は、操作者からの要求に応じて前記集約画像に含まれる前記第１の縮小画像および第２の縮小画像を、設定に基づき所定倍率又は自由倍率で変倍することを特徴とする請求項３記載の情報処理装置。
【請求項７】
前記制御手段は、操作者からの要求に応じて前記集約画像に含まれる前記第１の縮小画像および第２の縮小画像が重ならないように、前記第１の縮小画像および第２の縮小画像のレイアウトを決定することを特徴とする請求項３記載の情報処理装置。
【請求項８】
前記制御手段は、操作者からの要求に応じて、前記集約画像に含まれる前記第１の縮小画像および第２の縮小画像の位置を変更することを特徴とする請求項３記載の情報処理装置。
【請求項９】
前記制御手段は、操作者からの要求に応じて、前記第１の縮小画像を構成する前記部分画像の縦横比を維持したまま、前記第１の縮小画像の縦横比を変更することを特徴とする請求項３記載の情報処理装置。
【請求項１０】
前記制御手段は、操作者からの要求に応じて、前記第１の縮小画像を構成する前記部分画像の位置を変更することを特徴とする請求項３記載の情報処理装置。
【請求項１１】
前記制御手段は、操作者からの要求に応じて、前記第１の縮小画像に含まれるテキストのフォントサイズを変更したとき、前記集約画像の集約数によらずに前記フォントサイズを固定することを特徴とする請求項３記載の情報処理装置。
【請求項１２】
前記制御手段は、前記集約画像を出力可能な出力手段を制御し、前記集約画像を出力することを特徴とする請求項３乃至１１何れか一項記載の情報処理装置。
【請求項１３】
複数の縮小画像を含む集約画像の作成が可能な情報処理装置における集約画像作成方法であって、
元画像を構成する複数の部分画像の重要度に応じて、前記重要度の高い部分画像の割合が大きくなるように前記元画像を縮小した縮小画像を含む集約画像を作成する集約画像作成ステップを備えたことを特徴とする集約画像作成方法。
【請求項１４】
前記集約画像作成ステップは、前記重要度の高い部分画像の割合が大きくなるように前記元画像を縮小した第１の縮小画像と、元画像を所定の比率で縮小した第２の縮小画像とを含む集約画像を作成することを特徴とする請求項１３記載の集約画像作成方法。
【請求項１５】
少なくとも記憶装置，中央処理装置を備えたコンピュータにおいて実行される複数の縮小画像を含む集約画像の作成が可能な集約画像作成プログラムであって、
前記中央処理装置は、元画像を構成する複数の部分画像の重要度に応じて、前記重要度の高い部分画像の割合が大きくなるように前記元画像を縮小した縮小画像を含む集約画像を作成する集約画像作成ステップを実行する集約画像作成プログラム。
【請求項１６】
前記集約画像作成ステップは、前記重要度の高い部分画像の割合が大きくなるように前記元画像を縮小した第１の縮小画像と、元画像を所定の比率で縮小した第２の縮小画像とを含む集約画像を作成することを特徴とする請求項１５記載の集約画像作成プログラム。
【発明の詳細な説明】
【技術分野】
【０００１】
本発明は情報処理装置、集約画像作成方法および集約画像作成プログラムに係り、特に複数の縮小画像を含む集約画像の作成が可能な情報処理装置、集約画像作成方法および集約画像作成プログラムに関する。
【背景技術】
【０００２】
情報処理装置の一例としての画像処理装置には、文書等の元画像の複数ページを集約した集約画像を作成し、その集約画像を印刷する機能を持つものがある。集約画像を作成する場合、画像処理装置は設定されている集約数に応じたページ数分、元画像を縮小した縮小画像を作成し、その縮小画像を含む集約画像を作成していた。
【０００３】
ところで、従来の画像処理装置では元画像を集約数に応じた所定の比率で縮小して縮小画像を作成する。したがって、従来の画像処理装置では集約数や印刷に使用する紙サイズ等に応じて、縮小画像に含まれるテキストが文字潰れなどにより判別不可能となることがあった。
【０００４】
例えば特許文献１及び２には、上記のような問題に対処するため、文字潰れを起こさない文字サイズに着目し、文字潰れを起こさない文字サイズ以下のテキストを含む元画像から縮小画像を作成しないか、テキストを文字潰れを起こさない文字サイズで再構築したあとに縮小画像を作成する内容が記載されている。
【特許文献１】特開平８−３２９０６２号公報
【特許文献２】特開２００２−２１９８３７号公報
【発明の開示】
【発明が解決しようとする課題】
【０００５】
しかしながら、従来の画像処理装置では元画像を集約数に応じた所定の比率で縮小して縮小画像を作成しているため、テキストの他、絵柄等も縮小により判別不可能となることがあるという問題があった。上記の特許文献１及び２では、テキスト以外の絵柄等が判別不可能となることについて考慮されていない。
【０００６】
また、テキストの他、絵柄等も縮小により判別不可能とならないようにする場合、従来の画像処理装置では縮小画像の縮小倍率を上げることができず、集約数を多くできないという問題があった。
【０００７】
本発明は、上記の点に鑑みなされたもので、視認性が高く、元画像の概要が把握し易い集約画像を作成可能な情報処理装置、集約画像作成方法および集約画像作成プログラムを提供することを目的とする。
【課題を解決するための手段】
【０００８】
上記課題を解決するため、本発明は、複数の縮小画像を含む集約画像の作成が可能な情報処理装置であって、元画像を構成する複数の部分画像の重要度に応じて、前記重要度の高い部分画像の割合が大きくなるように前記元画像を縮小した縮小画像を含む集約画像を作成する集約画像作成手段を備えたことを特徴とする。
【０００９】
また、本発明は、複数の縮小画像を含む集約画像の作成が可能な情報処理装置における集約画像作成方法であって、元画像を構成する複数の部分画像の重要度に応じて、前記重要度の高い部分画像の割合が大きくなるように前記元画像を縮小した縮小画像を含む集約画像を作成する集約画像作成ステップを備えたことを特徴とする。
【００１０】
さらに、本発明は、少なくとも記憶装置，中央処理装置を備えたコンピュータにおいて実行される複数の縮小画像を含む集約画像の作成が可能な集約画像作成プログラムであって、前記中央処理装置は、元画像を構成する複数の部分画像の重要度に応じて、前記重要度の高い部分画像の割合が大きくなるように前記元画像を縮小した縮小画像を含む集約画像を作成する集約画像作成ステップを実行する集約画像作成プログラムであることを特徴とする。
【発明の効果】
【００１１】
本発明によれば、視認性が高く、元画像の概要が把握し易い集約画像を作成可能な情報処理装置、集約画像作成方法および集約画像作成プログラムを提供できる。
【発明を実施するための最良の形態】
【００１２】
次に、本発明を実施するための最良の形態を、以下の実施例に基づき図面を参照しつつ説明していく。本実施例では、情報処理装置の一例として画像処理装置である複合機（ＭＦＰ）を例に説明するが、複数の縮小画像を含む集約画像の作成が可能な如何なる画像処理装置であってもよい。
【００１３】
まず、本発明の理解を容易とする為に、元画像を構成する複数の部分画像（画像領域又はテキスト領域）の重要度に応じて、重要度の高い部分画像の割合が大きくなるように元画像を縮小した縮小画像（以下、スマートネイル画像という）について、元画像を所定の比率で縮小した通常の縮小画像と対比させて説明する。
【００１４】
図１は、スマートネイル画像と通常の縮小画像とを対比したイメージ図である。元画像１はマニュアルの１ページを表している。通常の縮小画像２は、元画像１を単純に縮小した画像である。通常の縮小画像２は元画像１を大雑把に提示しているが、絵柄や文字が小さく何が記載されているか分かりづらい。
【００１５】
一方、スマートネイル画像３は元画像１を単純に縮小した画像でなく、元画像１を構成する複数の部分画像のうち重要度の高い部分画像の割合が大きくなるように元画像１を縮小した画像である。スマートネイル画像３は、重要度の高い部分画像が重要度の低い部分画像よりも大きく表示されるため、元画像１に何が記載されているか分かり易い。
【００１６】
本発明は集約画像を作成するときにスマートネイル画像３を利用することで、視認性が高く、元画像１の概要が把握し易い集約画像の作成が可能となる。集約画像は、元画像１の複数ページを縮小して集約したものである。なお、本発明では元画像１の部分画像ごとの重要度をキーワードの一致度や部分画像の表示回数などにより判定する。スマートネイル画像３についての詳細は、特開２００４−２３４６５６号公報などに記載されているため、ここでの説明を省略する。
【００１７】
図２は、本発明による複合機の一例のハードウェア構成図である。複合機１０は、操作部１１，表示部１２からなるオペレーションパネル（オペパネ）と、レイアウト決定部１３と、スマートネイル変換部１４と、ネットワークＩ／Ｆ１５と、保存部１６と、印刷部１７と、送信部１８と、制御部１９とを含む構成である。
【００１８】
操作部１１及び表示部１２は、操作者とのＩ／Ｆを司る。レイアウト決定部１３は、集約画像のレイアウト（各画像のサイズ，向き，順番など）を決める。スマートネイル変換部１４は、元画像を元にスマートネイル画像を作成し、又はスマートネイル画像を通常の縮小画像に戻す。スマートネイル変換部１４は、スマートネイル画像のレイアウト編集やフォント変更も行う。
【００１９】
ネットワークＩ／Ｆ１５はイーサネット（登録商標）等のネットワークに接続され、他のＰＣやサーバ等との通信を可能にする。保存部１６は、プログラムコード，フォント及びその他の静的なデータが格納されている。また、保存部１６は一時的な記憶場所として利用される。
【００２０】
印刷部１７は、イメージデータの出力ユニットとして転写紙への印刷を実行する。送信部１８は他のＰＣやサーバ等に元データ，集約画像等を送信する。制御部１９は、オペパネから供給される操作者からの要求を、他の部分と強調して実行する。
【００２１】
データバスＢは、操作部１１，表示部１２，レイアウト決定部１３，スマートネイル変換部１４，ネットワークＩ／Ｆ１５，保存部１６，印刷部１７，送信部１８及び制御部１９の間の通信を可能とする。
【００２２】
なお、本発明の集約画像作成プログラムは複合機１０を制御する各種プログラムの少なくとも一部である。集約画像作成プログラムは、保存部１６等に格納されている。制御部１９は保存部１６に格納された集約画像作成プログラムに従って、後述するような処理を実現する。
【００２３】
図３は、本発明による複合機を含むシステムの一例のハードウェア構成図である。図３のシステムは、複合機１０と他のＰＣ２０及びサーバ３０とが、所定のネットワーク４０を介して接続されている。なお、図３の融合機１０はレイアウト決定部１３，スマートネイル変換部１４及び保存部１６を含んでいない点で図２の融合機１０と異なる。
【００２４】
図３のシステムでは、サーバ３０が、レイアウト決定部３１，スマートネイル変換部３２及び保存部３４を含んでいる。なお、図３のシステムでは、サーバ３０の代わりにＰＣ２０が、レイアウト決定部３１，スマートネイル変換部３２及び保存部３４を含む構成であってもよい。以下の実施例では、図２の複合機１０を例に説明する。
【実施例１】
【００２５】
実施例１では、複合機１０でスマートネイル画像と通常の縮小画像とが混ざった集約画像を作成して印刷する例を説明する。図４及び図５は、スマートネイル画像と通常の縮小画像とが混ざった集約画像を作成して印刷するときの画面フロー図である。
【００２６】
まず、操作者はオペパネの操作部１１から集約画像作成要求を行なう。操作者からの集約画像作成要求は、オペパネの操作部１１から制御部１９に送信される。集約画像作成要求を受信すると、制御部１９はレイアウト決定部１３及びスマートネイル変換部１４を制御して元画像の複数ページを縮小した通常の縮小画像を作成し、その縮小画像を含む集約画像を作成する。
【００２７】
制御部１９は、作成した集約画像のプレビュー１０１を含む画面１００をオペパネの表示部１２に表示する。この段階の集約画像は、通常の縮小画像により構成されている。画面１００は、集約画像のプレビュー１０１が左欄、集約画像の操作ボタンが右欄に設けられている例を表している。また、集約画像のプレビュー１０１は集約数が１６の例を表している。集約画像の操作ボタンの詳細は、後述する。
【００２８】
図４の画面１００が表示されたあとの処理手順について、図６のシーケンス図を参照しつつ説明していく。ステップＳ１に進み、操作者はオペパネの操作部１１を操作して集約画像のプレビュー１０１から通常の縮小画像を全て選択する。プレビュー１０１から通常の縮小画像を全て選択する場合、操作者は画面１００に設けられた集約画像の操作ボタンの一つである「全て選択」ボタン１０２を押下する。
【００２９】
なお、プレビュー１０１から通常の縮小画像を一部選択する場合、操作者は集約画像のプレビュー１０１に含まれる通常の縮小画像を直接押下する。通常の縮小画像を選択解除する場合、操作者は画面１００に設けられた集約画像の操作ボタンの一つである「選択解除」ボタン１０３を押下する。
【００３０】
ステップＳ２に進み、操作者はオペパネの操作部１１を操作して、画面１００に設けられた集約画像の操作ボタンの一つである「スマートネイル変換」ボタン１０４を押下することにより、ステップＳ１で選択した通常の縮小画像をスマートネイル画像に変換する為のスマートネイル変換要求を行なう。オペパネの操作部１１は、スマートネイル変換要求を制御部１９に送信する。
【００３１】
スマートネイル変換要求を受信すると、制御部１９はステップＳ３に進み、ステップＳ１で選択された通常の縮小画像をスマートネイル画像に変換する為のスマートネイル作成要求をスマートネイル変換部１４に送信する。ステップＳ４に進み、スマートネイル変換部１４はステップＳ１で選択された通常の縮小画像に対応するスマートネイル画像を作成する。
【００３２】
ステップＳ５に進み、スマートネイル変換部１４は制御部１９に対してスマートネイル作成完了通知を送信する。ステップＳ６に進み、制御部１９はステップＳ１で選択された通常の縮小画像をスマートネイル画像に変換した集約画像を作成し、集約画像表示要求をオペパネに送信する。オペパネの表示部１２は、ステップＳ１で選択された通常の縮小画像がスマートネイル画像に変換された集約画像のプレビュー１１１を含む画面１１０を表示する。
【００３３】
なお、制御部１９は集約画像についての情報を図７に示すテーブルで管理する。図７は集約画像管理テーブルの一例の構成図である。集約画像管理テーブルは、文書名，ページ番号，位置，サイズ，スマートネイルＯＮ／ＯＦＦ，スマートネイル情報をデータ項目として含んでいる。
【００３４】
図７の集約画像管理テーブルは、ページ毎にスマートネイル画像への変換を可能とするため、ページ毎にスマートネイル画像か通常の縮小画像かをデータ項目「スマートネイルＯＮ／ＯＦＦ」により管理している。なお、制御部１９は図７の集約画像管理テーブルを保存部１６に保存できる。その他のデータ項目についての詳細は、後述する。
【００３５】
したがって、本発明による複合機１０では集約画像のプレビュー１０１に含まれる通常の縮小画像をスマートネイル画像に変換できるので、視認性が高く、元画像の概要が把握し易い集約画像のプレビュー１１１の作成が可能となる。
【００３６】
次に、操作者は集約画像のプレビュー１１１からレイアウトを変更したいスマートネイル画像または通常の縮小画像を選択する。ここでは、操作者が集約画像のプレビュー１１１からスマートネイル画像１１２を選択し、拡大した例を説明する。
【００３７】
ステップＳ７に進み、操作者はオペパネの操作部１１を操作してプレビュー１１１からスマートネイル画像１１２を選択する。ステップＳ８に進み、操作者はオペパネの操作部１１を操作して、例えばスマートネイル画像１１２に対する画像拡大要求を行なう。オペパネの操作部１１は、画像拡大要求を制御部１９に送信する。
【００３８】
画像拡大要求を受信すると、制御部１９はステップＳ９に進み、ステップＳ７で選択されたスマートネイル画像１１２を拡大する。なお、画面１１０ではレイアウト方法の一つである「フリー変倍」のチェックボックス１１３からチェックが外され、フリー変倍が無効となっている。したがって、ステップＳ７で選択されたスマートネイル画像１１２はプレビュー１１１の仕切り線に合うように拡大される。
【００３９】
ステップＳ１０に進み、制御部１９はステップＳ９で拡大されたスマートネイル画像１１２に基づき、プレビュー１１１のレイアウトを決定する為のレイアウト決定要求をレイアウト決定部１３に送信する。
【００４０】
ステップＳ１１に進み、レイアウト決定部１３はステップＳ９で拡大されたスマートネイル画像１１２に基づき、プレビュー１１１のレイアウトを決定する。ステップＳ１２に進み、レイアウト決定部１３は制御部１９に対してレイアウト通知を送信する。ステップＳ１３に進み、制御部１９はステップＳ７で選択されたスマートネイル画像１１２を拡大した集約画像を作成し、集約画像表示要求をオペパネに送信する。オペパネの表示部１２は、スマートネイル画像１１２がスマートネイル画像１２２に拡大された集約画像のプレビュー１２１を含む画面１２０を表示する。なお、制御部１９はページ毎にサイズの異なる集約画像の作成を可能とするため、図７の集約画像管理テーブルにおいて、ページ毎に位置，サイズを管理している。
【００４１】
したがって、本発明による複合機１０では集約画像のプレビュー１１１に含まれる通常の縮小画像又はスマートネイル画像を指定して拡大できるので、操作者が指定した通常の縮小画像又はスマートネイル画像を拡大してプレビュー１２１のレイアウトを決定することができる。
【００４２】
次に、操作者は集約画像のプレビュー１２１から通常の縮小画像に変換したいスマートネイル画像を選択する。ここでは、操作者が集約画像のプレビュー１２１からスマートネイル画像１２２を選択した例を説明する。
【００４３】
ステップＳ１４に進み、操作者はオペパネ操作部１１を操作してプレビュー１２１からスマートネイル画像１２２を選択する。ステップＳ１５に進み、操作者はオペパネの操作部１１を操作し、画面１２０に設けられた集約画像の操作ボタンの一つである「スマートネイル解除」ボタン１２３を押下することにより、ステップＳ１４で選択したスマートネイル画像１２２を通常の縮小画像に変換する為のスマートネイル解除要求を行なう。オペパネの操作部１１は、スマートネイル解除要求を制御部１９に送信する。
【００４４】
スマートネイル解除要求を受信すると、制御部１９はステップＳ１６に進み、ステップＳ１４で選択されたスマートネイル画像１２２を通常の縮小画像に変換する為のスマートネイル解除要求をスマートネイル変換部１４に送信する。ステップＳ１７に進み、スマートネイル変換部１４はステップＳ１４で選択されたスマートネイル画像１２２に対応する通常の縮小画像を作成する。
【００４５】
ステップＳ１８に進み、スマートネイル変換部１４は制御部１９に対してスマートネイル解除完了通知を送信する。ステップＳ１９に進み、制御部１９はステップＳ１４で選択されたスマートネイル画像１２２を通常の縮小画像１３２に変換した集約画像を作成し、集約画像表示要求をオペパネに送信する。オペパネの表示部１２は、ステップＳ１４で選択されたスマートネイル画像１２２が通常の縮小画像１３２に変換された集約画像のプレビュー１３１を含む画面１３０を表示する。
【００４６】
従って、本発明による複合機１０では集約画像のプレビュー１２１に含まれるスマートネイル画像１２２を通常の縮小画像１３２に変更できるので、操作者が指定したスマートネイル画像１２２を通常の縮小画像１３２に変換することができる。
【００４７】
次に、操作者は集約画像のプレビュー１３１を保存，送信又は印刷する。ここでは、操作者が集約画像のプレビュー１３１を印刷した例を説明する。ステップＳ２０に進み、操作者はオペパネの操作部１１を操作して、画面１３０に設けられた集約画像の操作ボタンの一つである「印刷」ボタン１３３を押下することにより、作成した集約画像の印刷要求を行なう。オペパネの操作部１１は、印刷要求を印刷部１７に送信する。印刷要求を受信すると、印刷部１７はステップＳ２１に進み、作成した集約画像を印刷する。
【００４８】
したがって、本発明による複合機１０では作成した集約画像を操作者からの要求に応じて印刷できる。
【実施例２】
【００４９】
実施例２では、複合機１０でスマートネイル画像を含む集約画像のレイアウトを変更する例を説明する。図８〜図１０は、スマートネイル画像を含む集約画像のレイアウトを変更するときの画面フロー図である。
【００５０】
まず、操作者は実施例１と同様な手順により、前述したスマートネイル画像１１２を含む集約画像を作成し、その集約画像のプレビュー１１１を含む画面１１０をオペパネの表示部１２に表示する。
【００５１】
図４の画面１１０が表示されたあとの処理手順について、図１１のシーケンス図を参照しつつ説明していく。操作者は、集約画像のプレビュー１１１からレイアウトを変更したいスマートネイル画像または通常の縮小画像を選択する。ここでは、操作者が集約画像のプレビュー１１１からスマートネイル画像１１２を選択し、拡大した例を説明する。
【００５２】
ステップＳ１０１に進み、操作者はオペパネの操作部１１を操作し、画面１１０に表示されているレイアウト方法の一つである「フリー変倍」のチェックボックス１１３をチェックして、フリー変倍を有効とする。フリー変倍を有効とすることにより、スマートネイル画像１１２は自由な倍率で拡大できる。
【００５３】
ステップＳ１０２に進み、操作者はオペパネの操作部１１を操作してプレビュー１１１からスマートネイル画像１１２を選択する。さらに、操作者はオペパネの操作部１１を操作して、例えばスマートネイル画像１１２に対する画像拡大要求を行なう。オペパネの操作部１１は、スマートネイル拡大要求を制御部１９に送信する。
【００５４】
スマートネイル拡大要求を受信すると、制御部１９はステップＳ１０３に進み、ステップＳ１０２で選択されたスマートネイル画像１１２を拡大する為のスマートネイル作成要求をスマートネイル変換部１４に送信する。ステップＳ１０４に進み、スマートネイル変換部１４は拡大されたスマートネイル画像１４２を作成する。
【００５５】
ステップＳ１０５に進み、スマートネイル変換部１４は制御部１９に対してスマートネイル作成完了通知を送信する。ステップＳ１０６に進み、制御部１９はスマートネイル画像１４２を含む集約画像を作成し、スマートネイル表示要求をオペパネに送信する。オペパネの表示部１２は、プレビュー１４１を含む画面１４０を表示する。
【００５６】
ステップＳ１０７に進み、操作者はオペパネの操作部１１を操作し、画面１４０に表示されているレイアウト方法の一つである「重なり禁止」のチェックボックス１４３をチェックして、重なり禁止を有効とする。ステップＳ１０８に進み、操作者はオペパネの操作部１１を操作して、画面１４０に設けられた集約画像の操作ボタンの一つである「自動レイアウト」ボタン１４４を押下する。オペパネの操作部１１は、自動レイアウト要求を制御部１９に送信する。
【００５７】
自動レイアウト要求を受信すると、制御部１９はステップＳ１０９に進み、集約画像のプレビュー１４１に含まれるスマートネイル画像１４２が他のスマートネイル画像および通常の縮小画像と重ならないようにプレビュー１４１のレイアウトを決定する為のレイアウト決定要求をレイアウト決定部１３に送信する。
【００５８】
ステップＳ１１０に進み、レイアウト決定部１３は拡大されたスマートネイル画像１４２が他のスマートネイル画像および通常の縮小画像と重ならないようにプレビュー１５１のレイアウトを決定する。ステップＳ１１１に進み、レイアウト決定部１３は制御部１９に対してレイアウト通知を送信する。ステップＳ１１２に進み、制御部１９は拡大されたスマートネイル画像１４２が他のスマートネイル画像および通常の縮小画像と重ならないようにレイアウトした集約画像を作成し、集約画像表示要求をオペパネに送信する。
【００５９】
オペパネの表示部１２は、拡大されたスマートネイル画像１４２が他のスマートネイル画像および通常の縮小画像と重ならないようにレイアウトされた集約画像のプレビュー１５１を含む画面１５０を表示する。
【００６０】
したがって、本発明による複合機１０では重なり禁止を有効にして自動レイアウト要求を行なうことで、拡大されたスマートネイル画像１５２が他のスマートネイル画像および通常の縮小画像と重ならないようにレイアウトを決定できる。この結果、操作者は拡大したスマートネイル画像１５２と、他のスマートネイル画像又は通常の縮小画像とが重ならないように並び替えをする必要がない。
【００６１】
次に、操作者は集約画像のプレビュー１６１から位置を移動したい通常の縮小画像又はスマートネイル画像を選択する。ここでは、操作者が集約画像のプレビュー１６１からスマートネイル画像１６２を選択した例を説明する。
【００６２】
ステップＳ１１３に進み、操作者はオペパネ操作部１１を操作してプレビュー１６１からスマートネイル画像１６２を選択し、スマートネイル画像１６２の位置を移動する。オペパネの操作部１１は、画像移動要求を制御部１９に送信する。画像移動要求を受信すると、制御部１９はステップＳ１１５に進み、スマートネイル画像１６２の位置を移動した集約画像を作成し、集約画像表示要求をオペパネに送信する。オペパネの表示部１２は集約画像のプレビュー１７１を含む画面１７０を表示する。
【００６３】
従って、本発明による複合機１０では集約画像のプレビュー１６１に含まれるスマートネイル画像１６２の位置をプレビュー１７１のスマートネイル画像１７２のように移動できる。
【００６４】
次に、操作者は集約画像のプレビュー１８１からスマートネイル画像の部分画像である画像領域又はテキスト領域の縦横比を維持したまま、スマートネイル画像の縦横比を変更したいスマートネイル画像を選択する。ここでは、操作者が集約画像のプレビュー１６１からスマートネイル画像１６２を選択した例を説明する。
【００６５】
ステップＳ１１６に進み、操作者はオペパネ操作部１１を操作してプレビュー１６１からスマートネイル画像１６２を選択する。ステップＳ１１７に進み、操作者はオペパネの操作部１１を操作し、画面１６０に表示されているレイアウト方法の一つである「縦横比固定」のチェックボックス１６３のチェックを外して、縦横比固定を無効とする。
【００６６】
ステップＳ１１８に進み、操作者はオペパネの操作部１１を操作して、例えばスマートネイル画像１８２の画像サイズを変更する。オペパネの操作部１１は、スマートネイル画像サイズ変更要求を制御部１９に送信する。スマートネイル画像サイズ変更要求を受信すると、制御部１９はステップＳ１２０に進み、ステップＳ１１６で選択されたスマートネイル画像１８２のサイズを変更する為のスマートネイル作成要求をスマートネイル変換部１４に送信する。
【００６７】
ステップＳ１２１に進み、スマートネイル変換部１４はサイズを変更したスマートネイル画像１８２を作成する。ステップＳ１２２に進み、スマートネイル変換部１４は制御部１９に対してスマートネイル作成完了通知を送信する。ステップＳ１２３に進み、制御部１９はスマートネイル画像１８２を含む集約画像を作成し、スマートネイル画像表示要求をオペパネに送信する。オペパネの表示部１２は、プレビュー１８１を含む画面１８０を表示する。
【００６８】
ステップＳ１２４に進み、操作者はオペパネの操作部１１を操作して、画面１８０に設けられた「自動レイアウト」ボタン１８３を押下する。オペパネの操作部１１は、自動レイアウト要求を制御部１９に送信する。
【００６９】
自動レイアウト要求を受信すると、制御部１９はステップＳ１２５に進み、集約画像のプレビュー１８１に含まれるスマートネイル画像１８２と、他のスマートネイル画像または通常の縮小画像とを詰めてプレビュー１８１のレイアウトを決定する為のレイアウト決定要求をレイアウト決定部１３に送信する。
【００７０】
ステップＳ１２６に進み、レイアウト決定部１３はサイズを変更したスマートネイル画像１８２と、他のスマートネイル画像または通常の縮小画像とを詰めてプレビュー１９１のレイアウトを決定する。ステップＳ１２７に進み、レイアウト決定部１３は制御部１９に対してレイアウト通知を送信する。ステップＳ１２８に進み、制御部１９はサイズを変更したスマートネイル画像１８２と、他のスマートネイル画像または通常の縮小画像とを詰めてレイアウトした集約画像を作成し、集約画像表示要求をオペパネに送信する。
【００７１】
オペパネの表示部１２は、サイズを変更したスマートネイル画像１９２と他のスマートネイル画像または通常の縮小画像とを詰めてレイアウトされた集約画像のプレビュー１９１を含む画面１９０を表示する。
【００７２】
したがって、本発明による複合機１０ではスマートネイル画像の部分画像である画像領域又はテキスト領域の縦横比を維持したまま、スマートネイル画像の縦横比を変更することができ、サイズを変更したスマートネイル画像１９２と他のスマートネイル画像または通常の縮小画像とを詰めるようにレイアウトを決定できる。この結果、操作者はサイズを変更したスマートネイル画像１９２と他のスマートネイル画像または通常の縮小画像とを詰めるように並び替えをする必要がない。
【実施例３】
【００７３】
実施例３では、複合機１０でスマートネイル画像を指定して、そのスマートネイル画像の部分画像である画像領域又はテキスト領域のレイアウトを編集する例を説明する。図１２及び図１３は、スマートネイル画像の部分画像である画像領域又はテキスト領域のレイアウトを編集するときの画面フロー図である。
【００７４】
まず、操作者は実施例１と同様な手順により、スマートネイル画像２０２を含む集約画像を作成し、その集約画像のプレビュー２０１を含む画面２００をオペパネの表示部１２に表示する。
【００７５】
図１２の画面２００が表示されたあとの処理手順について、図１４のシーケンス図を参照しつつ説明していく。操作者は、集約画像のプレビュー２０１から部分画像である画像領域又はテキスト領域のレイアウトを編集したいスマートネイル画像を選択する。ここでは、操作者が集約画像のプレビュー２０１からスマートネイル画像２０２を選択し、部分画像である画像領域又はテキスト領域のレイアウトを編集した例を説明する。
【００７６】
ステップＳ２０１に進み、操作者はオペパネの操作部１１を操作してプレビュー２０１からスマートネイル画像２０２を選択する。ステップＳ２０２に進み、操作者はオペパネの操作部１１を操作し、画面２００に設けられた集約画像の操作ボタンの一つである「スマートネイルレイアウト編集」ボタン２０３を押下する。
【００７７】
「スマートネイルレイアウト編集」ボタン２０３を押下されると、オペパネの表示部１２にはステップＳ２０１で選択したスマートネイル画像２０２の部分画像である画像領域又はテキスト領域の移動が可能となったスマートネイル画像２１２が表示される。したがって、操作者はオペパネの操作部１１を操作し、スマートネイル画像２１２の部分画像である画像領域又はテキスト領域の移動が可能となる。
【００７８】
操作者はオペパネの操作部１１を操作し、スマートネイル画像２１２の部分画像である画像領域又はテキスト領域を例えばスマートネイル画像２２２のように移動させる。オペパネの操作部１１は、スマートネイル画像編集要求を制御部１９に送信する。
【００７９】
スマートネイル画像編集要求を受信すると、制御部１９はステップＳ２０４に進み、ステップＳ２０２で移動させたスマートネイル画像２１２の部分画像である画像領域又はテキスト領域に基づいてスマートネイル画像２２２のレイアウトを編集する為のスマートネイル画像編集要求をスマートネイル変換部１４に送信する。
【００８０】
ステップＳ２０５に進み、スマートネイル変換部１４はステップＳ２０２で移動された部分画像である画像領域又はテキスト領域に基づき、画像領域又はテキスト領域のレイアウトが編集されたスマートネイル画像２２２を作成する。
【００８１】
ステップＳ２０６に進み、スマートネイル変換部１４は制御部１９に対してスマートネイル画像編集完了通知を送信する。ステップＳ２０７に進み、制御部１９はスマートネイル画像２２２を含む集約画像を作成し、集約画像表示要求をオペパネに送信する。オペパネの表示部１２は、プレビュー２２１を含む画面２２０を表示する。
【００８２】
なお、制御部１９はスマートネイル画像の部分画像（要素）である画像領域やテキスト領域の編集を可能とするため、図７の集約画像管理テーブルにおいて、スマートネイル画像ごとに画像領域やテキスト領域の位置，サイズを管理している。従って、本発明による複合機１０ではスマートネイル画像の部分画像である画像領域又はテキスト領域のレイアウトを編集できる。
【実施例４】
【００８３】
実施例４では、複合機１０でスマートネイル画像のフォントサイズを変更する例を説明する。図１５及び図１６は、スマートネイル画像のフォントサイズを変更するときの画面フロー図である。
【００８４】
まず、操作者は実施例１と同様な手順により、スマートネイル画像を含む集約画像を作成し、その集約画像のプレビュー３０１を含む画面３００をオペパネの表示部１２に表示する。集約画像のプレビュー３０１は集約数が８の例を表している。
【００８５】
図１５の画面３００が表示されたあとの処理手順について、図１７のシーケンス図を参照しつつ説明していく。ステップＳ３０１に進み、操作者はオペパネの操作部１１を操作して、画面３００に設けられたスマートネイルフォントサイズ選択欄３０２からフォントサイズの変更を行う。
【００８６】
ステップＳ３０２に進み、オペパネの操作部１１はステップＳ３０１で変更されたフォントサイズにスマートネイル画像のフォントサイズを変更する為のフォントサイズ変更要求を制御部１９に送信する。フォントサイズ変更要求を受信すると、制御部１９はステップＳ３０３に進み、ステップＳ３０１で変更されたフォントサイズにスマートネイル画像のフォントサイズを変更する為のフォントサイズ変更要求をスマートネイル変換部１４に送信する。スマートネイル変換部１４は、ステップＳ３０１で変更されたフォントサイズのスマートネイル画像を作成する。
【００８７】
ステップＳ３０４に進み、スマートネイル変換部１４は制御部１９に対してフォントサイズ変更完了通知を送信する。ステップＳ３０５に進み、制御部１９はステップＳ３０３で作成したスマートネイル画像を含む集約画像を作成し、集約画像表示要求をオペパネに送信する。オペパネの表示部１２は、フォントサイズが変更されたプレビュー３１１を含む画面３１０を表示する。プレビュー３１１はフォントサイズが１２ｐｔに変更された例を表している。
【００８８】
ステップＳ３０６に進み、操作者は画面３１０に設けられた集約数選択欄３１２から集約数の変更を行う。ここでは、集約数が８から１６に変更された例を説明する。ステップＳ３０７に進み、オペパネの操作部１１はステップＳ３０６で変更された集約数に変更する為の集約数変更要求を制御部１９に送信する。
【００８９】
集約数変更要求を受信すると、制御部１９はステップＳ３０８に進み、ステップＳ３０７で変更された集約数に基づき、プレビュー３２１のレイアウトを決定する為のレイアウト決定要求をレイアウト決定部１３に送信する。レイアウト決定部１３は、ステップＳ３０７で変更された集約数に基づいて、プレビュー３２１のレイアウトを決定する。ステップＳ３０９に進み、レイアウト決定部１３は制御部１９に対してレイアウト通知を送信する。
【００９０】
ステップＳ３１０に進み、制御部１９はステップＳ３０７で変更された集約数に基づくスマートネイル画像を作成する為のスマートネイル作成要求をスマートネイル変換部１４に送信する。ステップＳ３１１に進み、スマートネイル変換部１４はステップＳ３０１で変更されたフォントサイズのスマートネイル画像を作成し、制御部１９に対してスマートネイル作成完了通知を送信する。ステップＳ３１２に進み、制御部１９は集約数が１６の集約画像のプレビュー３２１を含む画面３２０をオペパネの表示部１２に表示する。
【００９１】
なお、制御部１９はスマートネイル画像のフォントサイズを集約数によらず固定とする為、図７の集約画像管理テーブルにおいて、スマートネイル画像ごとのフォントサイズを管理している。従って、本発明による複合機１０ではスマートネイル画像のフォントサイズを変更でき、集約数によらずフォントサイズを固定とすることができる。
【００９２】
本発明は、具体的に開示された実施例に限定されるものではなく、特許請求の範囲から逸脱することなく、種々の変形や変更が可能である。なお、スマートネイル画像は特許請求の範囲に記載した第１の縮小画像に対応する。また、通常の縮小画像は特許請求の範囲に記載した第２の縮小画像に対応する。また、レイアウト決定部１３，スマートネイル変換部１４及び制御部１９は特許請求の範囲に記載した集約画像作成手段に対応する。
【図面の簡単な説明】
【００９３】
【図１】スマートネイル画像と通常の縮小画像とを対比したイメージ図である。
【図２】本発明による複合機の一例のハードウェア構成図である。
【図３】本発明による複合機を含むシステムの一例のハードウェア構成図である。
【図４】スマートネイル画像と通常の縮小画像とが混ざった集約画像を作成して印刷するときの画面フロー図（１／２）である。
【図５】スマートネイル画像と通常の縮小画像とが混ざった集約画像を作成して印刷するときの画面フロー図（２／２）である。
【図６】スマートネイル画像と通常の縮小画像とが混ざった集約画像を作成して印刷するときのシーケンス図である。
【図７】集約画像管理テーブルの一例の構成図である。
【図８】スマートネイル画像を含む集約画像のレイアウトを変更するときの画面フロー図（１／３）である。
【図９】スマートネイル画像を含む集約画像のレイアウトを変更するときの画面フロー図（２／３）である。
【図１０】スマートネイル画像を含む集約画像のレイアウトを変更するときの画面フロー図（３／３）である。
【図１１】スマートネイル画像を含む集約画像のレイアウトを変更するときのシーケンス図である。
【図１２】スマートネイル画像の部分画像である画像領域又はテキスト領域のレイアウトを編集するときの画面フロー図（１／２）である。
【図１３】スマートネイル画像の部分画像である画像領域又はテキスト領域のレイアウトを編集するときの画面フロー図（２／２）である。
【図１４】スマートネイル画像の部分画像である画像領域又はテキスト領域のレイアウトを編集するときのシーケンス図である。
【図１５】スマートネイル画像のフォントサイズを変更するときの画面フロー図（１／２）である。
【図１６】スマートネイル画像のフォントサイズを変更するときの画面フロー図（２／２）である。
【図１７】スマートネイル画像のフォントサイズを変更するときのシーケンス図である。
【符号の説明】
【００９４】
１    元画像
２    通常の縮小画像
３    スマートネイル画像
１１    操作部
１２    表示部
１３，３１    レイアウト決定部
１４，３２    スマートネイル変換部
１５    ネットワークＩ／Ｆ
１６    保存部
１７    印刷部
１８    送信部
１９    制御部
【図１】
2007116611.tif 000003
【図２】
2007116611.tif 000004
【図３】
2007116611.tif 000005
【図４】
2007116611.tif 000006
【図５】
2007116611.tif 000007
【図６】
2007116611.tif 000008
【図７】
2007116611.tif 000009
【図８】
2007116611.tif 000010
【図９】
2007116611.tif 000011
【図１０】
2007116611.tif 000012
【図１１】
2007116611.tif 000013
【図１２】
2007116611.tif 000014
【図１３】
2007116611.tif 000015
【図１４】
2007116611.tif 000016
【図１５】
2007116611.tif 000017
【図１６】
2007116611.tif 000018
【図１７】
2007116611.tif 000019